(57)【特許請求の範囲】
【請求項１】
河川内の一側と他側に前側となる支柱と後側との支柱とをそれぞれ立設して各支柱には河川の水位に追従して動く水位追従体を備え、これら水位追従体の間には、上下に離間する複数段のワイヤロープで構成された浮遊物ガイドを平面視して河川の流れに対し斜行するように張設するとともに、これら複数段の浮遊物ガイドの長手方向複数個所には、浮遊物ガイドの上下間隔を規定する間隔規定部材と、前記間隔規定部材と同じ位置に設けられて浮遊物ガイドの上位のものを河川の水面より上方にまた下位のものを河川の水面より下方にあるように浮上により保持させるフロートとを備える一方、浮遊物ガイドの前記斜行する下流側に対応して通水可能な回収ピットを設けた河川用浮遊物回収装置であって、前記間隔規定部材およびフロートは共に浮遊物ガイドの下流側に配置されていることを特徴とする河川用浮遊物回収装置。
【発明の詳細な説明】
【技術分野】
【０００１】  本発明は、河川用浮遊物回収装置に関する。
【背景技術】
【０００２】  河川においては、洪水に伴って多量の塵芥や大木などが流されてきてこれらは下流域や海・湾などに流れてゆき、汚れの原因になったり、あるいは大木にあってはこれが橋脚に滞留して河川決壊や橋梁破損の原因になっていた。
そうした軽減策を講じたものもある（例えば、特許文献１）。
【先行技術文献】
【特許文献】
【０００３】
【特許文献１】  特開２００６−９７４６４
【発明の概要】
【発明が解決しようとする課題】
【０００４】  上記特許文献１は、河川異常増水防止装置に係るもので、橋が架けられた河川の上流側に流木や家屋などの浮遊物を捕捉し川岸方向に誘導する循環条材を河川横断方向に対し斜めに張設して設け該誘導される端部に浮遊物を回収するピットを備えてピット内の浮遊物を除去手段で除去し得るように構成したものである。
しかし、こうした河川異常増水防止装置は、循環条材に設けられた捕捉材で浮遊物が捕捉されてピット内に持ち込むようになっているが、捕捉材で捕捉された浮遊物が持ち回されることもあり、これが装置のトラブル・故障の発生原因にもなっていた。【０００５】  本発明は、このような従来の方法が有していた問題を解決しようとするものであり、装置のトラブル・故障の発生原因をなくして浮遊物を円滑・確実に回収できるようにした河川用浮遊物回収装置を提供することを目的とする。
【課題を解決するための手段】
【０００６】上記目的を達成するため、請求項１に記載の発明は、河川内の一側と他側に前側となる支柱と後側との支柱とをそれぞれ立設して各支柱には河川の水位に追従して動く水位追従体を備え、これら水位追従体の間には、上下に離間する複数段のワイヤロープで構成された浮遊物ガイドを平面視して河川の流れに対し斜行するように張設するとともに、これら複数段の浮遊物ガイドの長手方向複数個所には、浮遊物ガイドの上下間隔を規定する間隔規定部材と、前記間隔規定部材と同じ位置に設けられて浮遊物ガイドの上位のものを河川の水面より上方にまた下位のものを河川の水面より下方にあるように浮上により保持させるフロートとを備える一方、浮遊物ガイドの前記斜行する下流側に対応して通水可能な回収ピットを設けた河川用浮遊物回収装置であって、前記間隔規定部材およびフロートは共に浮遊物ガイドの下流側に配置されていることを特徴とする。
【発明の効果】
【０００７】上述したように本発明の河川用浮遊物回収装置は、河川内の一側と他側に前側となる支柱と後側との支柱とをそれぞれ立設して各支柱には河川の水位に追従して動く水位追従体を備え、これら水位追従体の間には、上下に離間する複数段のワイヤロープで構成された浮遊物ガイドを平面視して河川の流れに対し斜行するように張設するとともに、これら複数段の浮遊物ガイドの長手方向複数個所には、浮遊物ガイドの上下間隔を規定する間隔規定部材と、前記間隔規定部材と同じ位置に設けられて浮遊物ガイドの上位のものを河川の水面より上方にまた下位のものを河川の水面より下方にあるように浮上により保持させるフロートとを備える一方、浮遊物ガイドの前記斜行する下流側に対応して通水可能な回収ピットを設けた河川用浮遊物回収装置であって、前記間隔規定部材およびフロートは共に浮遊物ガイドの下流側に配置されていることを特徴とするので、装置のトラブル・故障の発生原因をなくして浮遊物を円滑・確実に回収できるようにした河川用浮遊物回収装置を提供することができるようになる。
【図面の簡単な説明】
【０００８】
【図１】本発明の河川用浮遊物回収装置の一実施形態を示す平面図。
【図２】図１の拡大図。
【図３】図２のＡ−Ａ線断面図。
【図４】図２の要部拡大平面図。
【図５】図４の正面図。
【図６】図５のＢ−Ｂ線断面図。
【図７】図６の間隔規定部材を示す斜視図。
【図８】他の実施形態を示す横断平面図。
【図９】他の実施形態を示す横断平面図。
【図１０】他の実施形態を示す側断面図。
【図１１】他の実施形態を示す側断面図。
【図１２】他の実施形態を示す側断面図。
【図１３】他の実施形態を示す側断面図。
【図１４】他の実施形態を示す正面図。
【図１５】他の実施形態を示す正面図。
【図１６】他の実施形態を示す横断面図。
【図１７】他の実施形態を示す横断面図。
【図１８】図１７の斜視図。
【図１９】他の実施形態を示す横断面図。
【図２０】他の実施形態を示す横断面図。
【図２１】他の実施形態を示す横断面図。
【図２２】他の実施形態を示す平面図。
【図２３】他の実施形態を示す斜視図。
【図２４】他の実施形態を示す縦断面図。
【図２５】他の実施形態を示す平面図。
【図２６】他の実施形態を示す側断面図。
【図２７】他の実施形態を示す平面図。
【発明を実施するための形態】
【０００９】  以下、本発明の実施の一形態を図１〜図７に基づいて説明する。
【００１０】  図１は橋梁１が架かった河川２を上からみた様子を示し、この河川２では矢印Ｃの方向から河川水が流れてくる。図２は図１の装置である要部を拡大して示し、図３はその正面図である。さらにこれらを拡大したものが図４から図６である。
【００１１】  これらの図に示すように、河川２内の橋梁１よりもやや上流側には、両川岸からそれぞれ離れて一対の支柱３，３が川底に埋め込まれて垂直に立設されている。両支柱３，３はその一方がやや上流側に他方がやや下流側にあるように配備されている。この支柱３は丸パイプでなるが、角パイプその他でもよい。
支柱３，３には、水位に追従して動くように水位追従体４が設けられ、この水位追従体４の回りには、フランジ５を備えた取付環６が装着されている。
【００１２】  取付環６の両フランジ５，５には、上下に複数の連結ピン７…が配備され、このピン７…は上下に一定の間隔を置いて配置されるとともに、これらのピン７…を介して上下複数段にわたるように浮遊物ガイド８…が張設されている。
浮遊物ガイド８は、ワイヤロープでなるが、これらのガイド８…はそのままでは浮遊物や水の流れによって区々に動かされて間隔が開いて浮遊物がその間から通過したりするため、この実施形態では、間隔規定部材１０を設けて常に浮遊物ガイド８…の上下間隔を一定を保つようにすることにより浮遊物を逃さず捕捉して斜め方向に安定確実にしかも円滑に案内できるようにしてある。間隔規定部材１０は、金属あるいは樹脂などにより作製することができる。
【００１３】  間隔規定部材１０は、図７に斜視図を示すように、矩形をした本体部分１１と、同部分１１の両側からハの字状になるように突出した案内保護部分１２，１２とからなっているとともに、本体部分１１には、縦向きに並ぶボルト通孔１３…が左右に離れた位置において列状をなすように設けられている。
【００１４】  この間隔規定部材１０の下流側の溝内上部には、同溝形状にフィットする形（台形ブロック状）のフロート１４がＵボルトである止着具１５…により取り付けられている。止着具１５は、浮遊物ガイド８の上流側から嵌め込まれて前記ボルト通孔１３を通じてフロート１４の通孔１６に通されるとともに、下流側の押さえ板１７を介してナット締めすることで浮遊物ガイド８…を間隔規定部材１０により上下一定の間隔に規定しながら水位変動に追従させるためのフロート１４を一体保持するようにしてある。
尚、この実施形態では、図６のように、浮力を充足できることからフロート１４を間隔規定部材１０よりも高さの小さいものにしてあるが、間隔規定部材１０と同じ高さにすることもある。
【００１５】  こうしたフロート１４付き間隔規定部材１０は、図２に示すように、浮遊物ガイド８の長手方向に沿って複数配備され、互いに離間する関係にしてある。その配備個数は限定されるものではない。
斜行する下流側には、ポスト１９…により通水機能をもつ柵や網状の回収ピット２０が設けられている。この回収ピット２０は、固定式であるが、前記水位追従体４のように上下動自在に構成してもよい。
【００１６】  上流側の支柱３はその近くの川岸に対して一定の距離を置いて配置されていて図１の矢印Ｄのように河川流Ｃの一部を逃がして洪水時の安全を図るようにしてある。河川流Ｃによって流されてくる浮遊物２１…は、図４のように、浮遊物ガイド８…により捕捉されて下流側斜め方向に沿って円滑に流されてゆく。この際、浮遊物ガイド８…の上下間隔は、間隔規定部材１０により一定に保たれるとともに水位追従体４およびフロート１４による水位追従作用により浮遊物２１…は常に安定確実に捕捉されて流されてゆき、回収ピット２０内に回収されることになる。２２はピット２０内に集められた浮遊物２１を土手上に掻き揚げるための回収作業機である。
尚、図１に仮想線で示すように、２段目の回収装置２３を設けておくと、矢印Ｄのように第１段の回収装置で捕捉できなかった浮遊物までも捕捉回収することができる。
また、図６の上欄に示すように、浮遊物ガイド８の外周にはすべり被覆２４を付加してもよい。
さらに、図５に示すように、河川水位の上下に対応する２本の浮遊物ガイド８，８間には、今一本の浮遊物ガイド８を通すと浮遊物の捕捉がより確実になる。
【００１７】  図８に示す実施形態は、間隔規定部材２７の案内保護部分２８を本体部分２９より垂直に立てることにより、矢印Ｅのように浮遊物ガイド８間を抜けた浮遊物がそこに溜まらないようにしたものである。
図９の実施形態は、間隔規定部材３１の案内保護部分３２を更に内向きに曲げて形成しておくことで矢印Ｆのように抜けやすくしたものである。
【００１８】  図１０の実施形態は、フロート３４付き間隔規定部材３５を浮遊物ガイド３６…に止着具３７で装着するものにおいて、浮遊物ガイド３６のうち上下のものを太いものとしその上下間のものをやや細いものにしたもので、これにより、細い浮遊物ガイド３６により上下間隔を詰めて浮遊物を捕捉しやすくなる。
【００１９】  図１１の実施形態は、Ｕボルトである止着具３９内に２本の浮遊物ガイド４０を通すようにしたもので、図１２の実施形態は、止着具４２内に３本の浮遊物ガイド４３を通すようにしたものである。図１３の実施形態は、Ｔ字ボルトである止着具４５に２本の浮遊物ガイド４６を通すようにしたものである。
これらのように集束状に浮遊物ガイドを設けることにより浮遊物の捕捉効率があがる。
【００２０】  また、図１４（一本通し）や図１５（２本通し）に示すように、止着具４８を正面からみて千鳥配置にすることで、浮遊物ガイド４９…の上下間隔を詰めることができる。
【００２１】  さらに、図１６の実施形態のように、間隔規定部材５１の上流側にガイド板５２を設けることによりＵボルトである止着具５３が浮遊物ガイド５４より突き出た状態をなくすことができ、円滑に浮遊物を流すことができる。この場合、左上に示すようにガイド板５２の先端は面取り状に滑らかな形状にしてより流れやすくすることができる。ガイド板５２は短いものであったが、前後の間隔規定部材５１，５１にわたるような長いものにしてもよい。この場合、河川水位の上下にわたる程度の幅の狭いガイド板であってもよい。
【００２２】  また、図１７および１８に示す実施形態のように、ガイド板５６の先端に折り曲げ部５７を形成して浮遊物ガイド５８間から下流側に臨むようにすれば浮遊物の流れが円滑になる。
【００２３】  図１９から図２１に示す実施形態は支柱６０に水位追従体６１および浮遊物ガイド６２をより円滑に水位追従動作させるようにしたもので、図１９の実施形態は、ブラケット６３に前後一対のローラー６４と連結ピン６５を備えて支柱６０を前後から挟んで上下動するようにしたものである。図２０の実施形態は、支柱６０を前後一対配備しその間をローラー６４が上下するようにしたものである。図２１の実施形態は、前後一対の支柱６０をアングル型としその間でローラー６４が上下するようにしたものである。
【００２４】  図２２の実施形態は、河川幅が広くて支柱６６間のスパンが長く浮遊物ガイド６７への負荷が大きくなると想定される場合の対策例で、川岸上に一対の杭６８を立てて浮遊物ガイド６７との間を引張材６９で引っ張るようにしたものである。７０はフロート７１付き間隔規定部材、７２は回収ピットである。
この場合、引張材６９は単なる引張ロープである他に、図示のように浮遊物捕捉機能をもたせてもよい。
【００２５】  図２３および図２４の実施形態は、浮遊物ガイド７４…の全体を通水機能をもつ強化布地でなる通水被覆７５で覆って浮遊物がより円滑にまた小さいものまでも捕捉回収できるようにしてもよい。この場合、図２４の右欄のように、上下複数本の丸パイプを連結板でつないだ間隔規定部材７６で浮遊物ガイド７４の上下間隔を一定に規定するようにしてもよい。また、連結板の前後にフロートを備え付けてもよい。
【００２６】  図２５の実施形態は、一対の支柱７９に水位追従体８０を備えてその間をワイヤロープ８１で斜め方向につないだものにおいて、ワイヤロープ８１の前面に図２６のガードレール型浮遊物ガイド８２を設けて浮遊物が円滑に滑って回収されるようにしたもので、浮遊物ガイド８２の裏面にはブラケット８３が取り付けられてワイヤロープ８１が通されるとともにフロート８４が止着具８５により取り付けられるようにしたものである。８６は回収ピットである。
【００２７】  図２７の実施形態は、同ガードレール型浮遊物ガイド８２を利用したものを河川下流出口に設置して浮遊物が海洋や湾などに流れ出さないようにしたものである。８８は回収船、８９は一般通行船である。
【符号の説明】
【００２８】    ２…河川  ３…支柱  ４…水位追従体  ８…浮遊物ガイド  １０…間隔規定部材  １４…フロート  ２０…回収ピット。
【図１】
0005476530.tif 000002
【図２】
0005476530.tif 000003
【図３】
0005476530.tif 000004
【図４】
0005476530.tif 000005
【図５】
0005476530.tif 000006
【図６】
0005476530.tif 000007
【図７】
0005476530.tif 000008
【図８】
0005476530.tif 000009
【図９】
0005476530.tif 000010
【図１０】
0005476530.tif 000011
【図１１】
0005476530.tif 000012
【図１２】
0005476530.tif 000013
【図１３】
0005476530.tif 000014
【図１４】
0005476530.tif 000015
【図１５】
0005476530.tif 000016
【図１６】
0005476530.tif 000017
【図１７】
0005476530.tif 000018
【図１８】
0005476530.tif 000019
【図１９】
0005476530.tif 000020
【図２０】
0005476530.tif 000021
【図２１】
0005476530.tif 000022
【図２２】
0005476530.tif 000023
【図２３】
0005476530.tif 000024
【図２４】
0005476530.tif 000025
【図２５】
0005476530.tif 000026
【図２６】
0005476530.tif 000027
【図２７】
0005476530.tif 000028